(57)【要約】【課題】ツールによる真贋判別に加えて単独での判別も可能であり、識別性を高めた識別媒体およびその識別媒体を備えた物品を提供する。【解決手段】識別媒体１は、右回りまたは左回り円偏光を反射するコレステリック液晶層２００と、コレステリック液晶層２００に積層され、コレステリック液晶層２００が反射する円偏光と同じ円偏光を吸収する偏光層４００とを有する識別層１０と、光透過性を有する対象物２に識別層１０を固定するための固定層５００とを有し、識別層１０が対象物２に固定された状態で、識別層１０が積層された方向においてコレステリック液晶層２００側から識別層１０を目視した場合の見え方と、偏光層４００側から識別層１０を目視した場合の見え方とが異なる。【選択図】図１
2010117381.tif 000002
【特許請求の範囲】
【請求項１】
右回りまたは左回り円偏光を反射するコレステリック液晶層と、前記コレステリック液晶層に積層され、特定の偏光を透過する偏光層と、を有する識別層を備え、
前記識別層が積層された方向において前記コレステリック液晶層側から前記識別層を目視した場合の見え方と、前記偏光層側から前記識別層を目視した場合の見え方とが異なることを特徴とする識別媒体。
【請求項２】
前記偏光層は、前記コレステリック液晶層が反射する円偏光と同じ円偏光を吸収するまたは反射することを特徴とする請求項１に記載の識別媒体。
【請求項３】
前記偏光層は、前記コレステリック液晶層に積層され、直線偏光を右回りまたは左回り円偏光に変える、あるいは、右回りまたは左回り円偏光を直線偏光に変える１／４波長板層と、前記１／４波長板層に積層され、直線偏光を透過する直線偏光板層とを有することを特徴とする請求項１または２に記載の識別媒体。
【請求項４】
光透過性を有する対象物に前記識別層を固定するための固定層を有し、
前記固定層は、光透過性を有することを特徴とする請求項１〜３のいずれか一項に記載の識別媒体。
【請求項５】
光透過性を有する対象物と、
請求項１〜４のいずれか一項に記載された識別媒体とを備えた物品。
【発明の詳細な説明】
【技術分野】
【０００１】
本発明は、各種製品等の真正性（真贋性）を識別するための識別媒体に関し、特に、ツールによる真贋判別に加え、単独での判別も可能な識別媒体とその識別媒体を備えた物品に関する。
【背景技術】
【０００２】
パスポート、各種カード、証書類、各種製品の偽造防止方法として、その対象物の表面に特殊なインクを塗布する技術や、ホログラムを貼り付ける技術などが知られている。例えば、特許文献１には、ホログラムにコレステリック液晶を組み合わせた偽造防止技術が示されている。この技術によれば、ホログラムとコレステリック液晶を組み合わせ、その反射光を左右の円偏光フィルタを通して観察することで、真贋が判別される。具体的には、右円偏光フィルタで見えるときは、左円偏光フィルタでは見えないという現象を用いて真贋の判別が行われる。
【０００３】
【特許文献１】再表００／０１３０６５
【発明の開示】
【発明が解決しようとする課題】
【０００４】
しかしながら、上述した技術では、円偏光フィルタなどのツールを使用しなければ、コレステリック液晶の固有の特性によるホログラムの変化が確認できなかった。また、偽造技術が高くなってきている背景において、コレステリック液晶を用いた識別媒体に関しても、より偽造が困難で、高い識別性を有する識別媒体が求められている。
【０００５】
そこで本発明は、ツールによる真贋判別に加えて単独での判別も可能であり、識別性を高めた識別媒体およびその識別媒体を備えた物品を提供することを目的とする。
【課題を解決するための手段】
【０００６】
請求項１に記載の発明は、右回りまたは左回り円偏光を反射するコレステリック液晶層と、前記コレステリック液晶層に積層され、特定の偏光を透過する偏光層と、を有する識別層を備え、前記識別層が積層された方向において前記コレステリック液晶層側から前記識別層を目視した場合の見え方と、前記偏光層側から前記識別層を目視した場合の見え方とが異なることを特徴とする識別媒体である。
【０００７】
請求項１に記載の発明によれば、右回り円偏光を選択的に透過し、左回り円偏光および直線偏光を遮断するフィルタなどの真贋判別するためのツールを介して識別媒体を視認した場合でも真贋判定を行うことができるとともに、ツールを介さないで目視した場合でも真贋判定を行うことができる。また、真贋判定を行う方法が増加するため、識別性を高めることができ、偽造が困難になる。なお、特定の偏光というのは、右回り円偏光、左回り円偏光または直線偏光のうちいずれかの偏光をいう。
【０００８】
請求項２に記載の発明は、請求項１に記載の発明において、前記偏光層は、前記コレステリック液晶層が反射する円偏光と同じ円偏光を吸収するまたは反射することを特徴とする。請求項２に記載の発明によれば、偏光層側から目視した場合、コレステリック液晶層からの反射光が視認されないという特異な見え方となり、ツールを介さないで真贋判定を行うことができ、識別性を高めることができる。
【０００９】
請求項３に記載の発明は、請求項１または２に記載の発明において、前記偏光層は、前記コレステリック液晶層に積層され、直線偏光を右回りまたは左回り円偏光に変える、あるいは、右回りまたは左回り円偏光を直線偏光に変える１／４波長板層と、前記１／４波長板層に積層され、直線偏光を透過する直線偏光板層とを有することを特徴とする。請求項３に記載の発明によれば、偏光層側から目視した場合、コレステリック液晶層からの反射光が視認されないという特異な見え方となり、ツールを介さないで真贋判定を行うことができ、識別性を高めることができる。
【００１０】
請求項４に記載の発明は、請求項１〜３のいずれか一項に記載の発明において、光透過性を有する対象物に前記識別層を固定するための固定層を有し、前記固定層は、光透過性を有することを特徴とする。請求項４に記載の発明によれば、光を透過することで、真贋判別を容易に行うことができ、識別性を高めることができる。また、光透過性というのは、判別に利用する可視光を透過する性質のことをいう。
【００１１】
請求項５に記載の発明は、光透過性を有する対象物と、請求項１〜４のいずれか一項に記載された識別媒体とを備えた物品である。請求項５に記載の発明によれば、真贋の識別性の高い物品を提供することができる。
【発明の効果】
【００１２】
本発明によれば、ツールによる真贋判別に加えて単独での判別も可能であり、識別性を高めた識別媒体およびその識別媒体を備えた物品を製造できる。
【発明を実施するための最良の形態】
【００１３】
（１）第１の実施形態
以下、本発明の一実施形態について図面を参照して説明する。図１は、識別媒体および対象物を示す断面図である。図２は、コレステリック液晶層の構造を概念的に示す概念図である。図３は、識別媒体を視認する場合を示す断面図である。図４は、右円偏光フィルタを介して表面から識別媒体を見た場合を示す図である。図５は、左円偏光フィルタを介して表面から識別媒体を見た場合を示す図である。図６は、目視により裏面から識別媒体を見た場合を示す図である。図７は、光透過性を有する部分を一部に有する対象物を示す図である。なお、図３の符号Ｅは視認する人の目である。
【００１４】
（コレステリック液晶について）
まず、コレステリック液晶について簡単に説明する。コレステリック液晶層は、図２に示すように、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。
【００１５】
この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓの円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。
【００１６】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００１７】
またコレステリック液晶層は、カラーシフトと呼ばれる現象を示す。以下、カラーシフトの原理を説明する。隣接する層で屈折率が異なる光透過性の多層薄膜に斜めから光が入射すると、その光は、多層構造の各界面において反射される。この反射は、上下に隣接する光透過性の層の屈折率が異なることに起因する。また、１層の界面を見た場合、反射されるのは、入射光の一部であり、入射光の大部分は透過する。つまり、多層に積層された界面に入射した入射光は、各界面において少しずつ反射されてゆく。この各界面で発生した反射光は、基本的に同じ方向に反射するので、それらは光路差に起因する干渉を起こす。
【００１８】
入射光がより面に平行に近い方向から入射する程、光路差は小さくなるので、より短波長の光が干渉し、強め合うことになる。この原理から、視野角を大きくしていった場合に、より短波長の反射光同士が干渉し、強め合うことになる。この結果、白色光下で多層薄膜を見た場合に、視野角０°で多層薄膜が所定の色合いに見えたものが、視野角を大きくしてゆくに従い、徐々に青みがかった色に見た目の色彩が変化する現象が観察される。この現象をカラーシフトという。なお、視野角は、層への垂線と視線とのなす角度として定義される。
【００１９】
（識別媒体および識別媒体を備えた物品の構成）
次に、識別媒体１および識別媒体１を備えた物品の構成について図面を参照して説明する。識別媒体１は、図１に示すように、支持体としても機能する対象物２に貼り付けられている。この例において物品は、板状の透明な樹脂により構成されたタグである。識別媒体１は、識別層１０と、固定層の一例である接着層５００とを有している。識別媒体１は、識別媒体１が貼り付けられた対象物２の真贋を判別するための媒体である。対象物２は、全体が光透過性を有する。つまり、対象物２の全体が透明である。
【００２０】
別層１０は、図１、図３に示すように、対象物２から遠い順に、表面保護層１００と、コレステリック液晶層２００と、接着層３００と、偏光層４００とが積層されて形成されている。識別層１０は、表面保護層１００にコレステリック液晶層２００、接着層３００および偏光層４００が順に積層されて製造される。
【００２１】
表面保護層１００は、光透過性を有する所定の厚さのＴＡＣ（等方性トリアセチルセルロース）をフィルム状に形成したものである。表面保護層１００は、透過する光の円偏光状態を乱さないようにするために、屈折率が等方性のものが利用される。この条件を満たす光透過性を有する材料として、ポリカーボネイトやポリスチレンなどを用いることができる。
【００２２】
コレステリック液晶層２００は、表面保護層１００に隣接して積層されている。コレステリック液晶層２００は、特定の右回りまたは左回り円偏光を選択的に反射し、直線偏光などのその他の偏光を透過する。なお、以下の説明では、コレステリック液晶層２００は、特定波長（例えば緑）の右回り円偏光を反射するものとして説明する。
【００２３】
コレステリック液晶層２００には、ホログラム形成部２１０が設けられている。ホログラム形成部２１０は、コレステリック液晶層２００の偏光層４００側に設けられている。ホログラム形成部２１０は、コレステリック液晶層２００にホログラムを形成するための型を押し付け、エンボス模様や凹凸を形成することで形成されている。なお、ホログラム形成部２１０をコレステリック液晶層２００の偏光層４００側に設ける場合に限らず、コレステリック液晶層２００の表面保護層１００側に設けてもよい。
【００２４】
接着層３００は、コレステリック液晶層２００に隣接して積層されている。接着層３００は、コレステリック液晶層２００に偏光層４００を固定する機能を有する。接着層３００は、光透過性を有する。つまり、接着層３００は透明である。
【００２５】
偏光層４００は、接着層３００を介してコレステリック液晶層２００に積層されている。偏光層４００は、コレステリック液晶層２００の表面全体を覆うように設けられている。偏光層４００は、コレステリック液晶層２００から近い順に、１／４波長板層４１０と、直線偏光板層４２０とが積層されて形成されている。偏光層４００は、偏光を選択的に吸収する。
【００２６】
１／４波長板層４１０は、接着層３００を介してコレステリック液晶層２００に積層されている。１／４波長板層４１０は、直線偏光を右回りまたは左回り円偏光に変える。また、１／４波長板層４１０は、右回りまたは左回り円偏光を直線偏光に変える。
【００２７】
直線偏光板層４２０は、１／４波長板層４１０の下に隣接して積層されている。直線偏光板層４２０は、所定の方向に偏波した直線偏光を透過する。この例では、直線偏光板４２０側から見て、直線偏光板層４２０の吸収軸に対して１／４波長板層４１０の遅相軸を時計回り方向に１３５度回転させた状態とする。こうすることで、直線偏光板層４２０から出た直線偏光が１／４波長板層４１０を透過することで、左回り円偏光になる設定とされている。この場合、１／４波長板層４１０に図の上方から入射した左回り円偏光は、直線偏光板層４２０を透過する直線偏光となり、直線偏光板層４２０を透過する。なお、１／４波長板層４１０に図の上方から入射した右回り円偏光は、直線偏光板層４２０で遮断される直線偏光となり、直線偏光板層４２０で遮断される。なお、直線偏光板層４２０側から見て、直線偏光板層４２０の吸収軸に対して１／４波長板層４１０の遅相軸を時計回り方向に４５度回転させた状態とすると、直線偏光板層４２０から出た直線偏光が１／４波長板層４１０を透過することで、右回り円偏光になる設定が得られる。
【００２８】
接着層５００は、識別層１０と対象物２との間に設けられている。つまり、接着層５００は、直線偏光板層４２０に隣接して積層されている。接着層５００は、識別層１０を対象物２に固定する機能を有する。接着層５００は、光透過性を有する。つまり、接着層５００は透明である。
【００２９】
なお、固定する機能を有する接着層３００および接着層５００は、シールのように離型フィルムを剥がすと接着力が現れるものや、紫外線硬化樹脂、熱硬化樹脂、その他公知の接着材料などで構成される。また、接着層３００および接着層５００は、透明であるが、全体を透明にしてもよく、あるいは、剥離すると文字が出るような加工を加えるなどして一部を透明にしてもよい。さらに、接着層３００および接着層５００が透明である場合に限らず、光透過性を有すれば接着層３００および接着層５００が半透明でもよい。なお、接着層の代わりに粘着剤を用いた粘着層を利用してもよい。
【００３０】
（第１の実施形態の識別機能）
次に、第１の実施形態の識別機能について図面を参照して説明する。ここでは、図３に示した識別媒体１を、識別するための識別用フィルタを介さずに目視により視認した場合と識別用フィルタを介して視認した場合の例を説明する。なお、識別媒体１を固定した対象物２の一方の面を表面（図の上側の面）といい、識別媒体１を固定していない対象物２の他方の面（図の下側の面）を裏面という。また、識別用フィルタとして、右回り円偏光を選択的に透過する右フィルタＲ（右円偏光フィルタ）と、左回り円偏光を選択的に透過する左フィルタＬ（左円偏光フィルタ）を用いる。
【００３１】
（識別用フィルタなしで表面から観察した場合）
まず、識別用フィルタを介さずに対象物２の識別媒体１が固定された側の方向（図の上側）から識別媒体１を観察する場合を説明する。この場合、コレステリック液晶層２００からの反射光が視認される。すなわち、表面保護層１００の側から入射した入射光のうちの右回り円偏光は、コレステリック液晶層２００により反射され、それが観察される。また、コレステリック液晶層２００が示すカラーシフトが観察される。
【００３２】
一方、対象物２の裏面から入射した入射光は、透明な対象物２および透明な接着層５００を透過し、さらにその中に含まれるに特定方向の直線偏光が直線偏光板層４２０を透過する。その後、直線偏光板層４２０を透過したこの直線偏光は、１／４波長板層４１０により左回り円偏光となり、透明な接着層３００、コレステリック液晶層２００および透明な表面保護層１００を透過する。また、コレステリック液晶層２００に到達できなかった成分は、偏光層４００により吸収される。
【００３３】
このため、識別用フィルタを介さずに対象物２の識別媒体１が固定された側（図の上側）の方向から識別媒体１を観察すると、ホログラム形成部２１０のホログラム図柄、コレステリック液晶層２００の色彩（例えば緑）および対象物２の裏面側の景色（透けて見える向こう側の景色）が視認できる。さらに、視野角を変化させると、コレステリック液晶層２００のカラーシフトによりコレステリック液晶層２００の色彩が変化して視認できる。
【００３４】
（右円偏光フィルタを介して表面から観察した場合）
図４には、右回り円偏光を選択的に透過し、左回り円偏光および直線偏光を遮断する右フィルタＲ（右円偏光フィルタ）を介して対象物２の識別媒体１が固定された側の方向から識別媒体１を見た状態が示されている。この場合、コレステリック液晶層２００からの反射光のみが視認される。すなわち、表面保護層１００の側から入射した入射光のうちの右回り円偏光は、コレステリック液晶層２００により反射され、右フィルタＲを透過する。
【００３５】
一方、対象物２の裏面（図の下側）から入射した入射光は、偏光層４００、コレステリック液晶層２００または右フィルタＲにより遮断される。このため、背景は見えず、対象物２の識別媒体１が固定された側の方向から識別媒体１を目視した場合に比べてより鮮明に、図４に示すようにホログラム形成部２１０のホログラム図柄（黒い点）およびコレステリック液晶層２００の色彩（例えば緑）が視認できる。さらに、この場合も視野角を変化させると、コレステリック液晶層２００のカラーシフトによりコレステリック液晶層２００の色彩が変化して視認できる。
【００３６】
（左円偏光フィルタを介して表面から観察した場合）
図５には、左回りの円偏光を選択的に透過し、右回り円偏光および直線偏光を遮断する左フィルタＬ（左円偏光フィルタ）を介して対象物２の識別媒体１が固定された側の方向から識別媒体１を見た状態が示されている。この場合、コレステリック液晶層２００からの反射光は視認されない。すなわち、表面保護層１００から入射した入射光のうちの右回り円偏光は、コレステリック液晶層２００により反射され、左フィルタＬにより遮断される。
【００３７】
一方、対象物２の裏面から入射した入射光は、透明な対象物２および透明な接着層５００を透過し、そのうちの特定の直線偏光は、直線偏光板層４２０を透過する。この直線偏光板層４２０を透過した直線偏光は、１／４波長板層４１０により左回り円偏光となり、透明な接着層３００、コレステリック液晶層２００および透明な表面保護層１００を透過する。そして、表面保護層１００を透過した左回り円偏光は、左フィルタＬを透過する。また、対象物２の裏面から入射した入射光の一部は、偏光層４００により吸収される。このため、左円偏光フィルタを介して表面保護層１００の側から識別媒体１を観察した場合、コレステリック液晶層２００に形成されたホログラム形成部２１０のホログラム図柄は視認されず、対象物２の裏面側の景色のみが透けて視認できる。
【００３８】
（識別用フィルタなしで裏面から観察した場合）
図６には、識別用フィルタを介さずに対象物２の裏面（図３の下側）から識別媒体１を目視した状態が示されている。この場合、コレステリック液晶層２００からの反射光が視認されない。すなわち、表面保護層１００から入射した入射光は、透明な表面保護層１００を透過し、その中に含まれる左回り円偏光は、コレステリック液晶層２００および透明な接着層３００を透過する。その後、接着層３００を透過した左回り円偏光は、１／４波長板層４１０により直線偏光となり、直線偏光板層４２０、透明な接着層５００および透明な対象物２を透過する。
【００３９】
一方、対象物２の裏面から入射した入射光のうちの直線偏光板層４２０を透過した直線偏光は、１／４波長板層４１０により左回り円偏光となり、接着層３００、コレステリック液晶層２００、表面保護層１００を透過する。また、対象物２の裏面から入射した入射光のうちの右回り円偏光は、直線偏光板層４２０で大部分が吸収され、残りも１／４波長板での透過損失により吸収される。つまり、対象物２の裏面から入射した入射光のうちの右回り円偏光は、偏光層４００により吸収される。このため、コレステリック液晶層２００に右回り円偏光が届かない。このため、識別用フィルタなしで裏面から観察した場合、コレステリック液晶層２００に形成されたホログラム形成部２１０のホログラム図柄は視認されず、対象物２の表面側の景色（透けて見える景色）のみが視認できる。
【００４０】
（識別機能）
このように、識別層１０が対象物２に固定された状態で、識別層１０が積層された方向においてコレステリック液晶層２００側から識別層１０を目視した場合の見え方と、偏光層４００側から識別層１０を目視した場合の見え方とが異なる。そのため、右フィルタＲや左フィルタＬなどの識別するためのツールを介して識別媒体１を視認した場合でも真贋判定を行うことができるとともに、ツールを介さないで目視した場合でも真贋判定を行うことができる。また、真贋判定を行う方法が増加するため、識別性を高めることができ、偽造が困難になる。
【００４１】
また、偏光層４００はコレステリック液晶層２００が反射する右回り円偏光と同じ右回り円偏光を吸収する。したがって、対象物２の裏面（図の下方向）から識別媒体１を目視した場合、コレステリック液晶層２００からの反射光が視認されず、表側（図の上方向）から見た場合と見え方が異なる。すなわち、対象物２の識別媒体１が固定された側の方向から識別媒体１を目視した場合、コレステリック液晶層２００のホログラム像が見え、またコレステリック液晶層２００の光学特性が視認されるが、対象物２の裏面から識別媒体１を対象物２越しに目視した場合、コレステリック液晶層２００からの反射光が視認されず、透明に見える。この見え方の差により、ツールを介さない真贋判定を行うことができる。
【００４２】
（その他）
偏光層４００がコレステリック液晶層２００の表面全体を覆うように設けられている場合に限らず、偏光層４００は部分的に設けられていてもよい。この場合、対象物２の識別媒体１が固定された側の方向から見た場合の見え方は図４および図５の場合と変わらないが、対象物２の裏面（図の下側）から見た場合の見え方は、偏光層４００が設けられている部分のみホログラム図柄が消え、ホログラム図柄が消えた部分が際立つ。そのため、特異な見え方となり、ツールを介さないで行う真贋判定機能が高まり、識別媒体１の識別性を高めることができる。また、対象物２の全面を透明にする場合に限らず、図７に示すように、光透過性を有する透明部２１と光透過性を有しない不透明部２２とを有する対象物２としてもよい。
【００４３】
（２）第２の実施形態
第２の実施形態は、上記第１の実施形態を変更したものである。したがって、主に変更部分について説明し、第１の実施形態と同様な構成および作用の説明は省略する。図８は、第２の実施形態にかかる識別媒体および対象物を示す断面図である。
【００４４】
識別媒体３は、識別層１１に位相差層６００を設けている。位相差層６００は、表面保護層１００のコレステリック液晶層２００が積層されている側の反対側に積層されている。つまり、位相差層６００は、表面保護層１００の外側表面に設けられている。位相差層６００は、表面保護層１００の表面の一部を覆うように設けられている。位相差層６００は、右回り円偏光を左回り円偏光に変える、あるいは、左回り円偏光を右回り円偏光に変える。この例では、位相差層６００としては、１／２波長板が利用されている。
【００４５】
第２の実施形態によれば、識別用フィルタを介さずに対象物２の識別媒体３が固定された側の方向（図の上側）およびその反対の方向（図の下側）から識別媒体３を目視した場合は、第１の実施形態の場合と同じである。一方、右フィルタＲを介して対象物２の識別媒体３が固定された側の方向から識別媒体３を見た場合、位相差層６００に入射した入射光のうちの左回り円偏光は、位相差層６００により右回り円偏光となり、コレステリック液晶層２００により反射される。そして、反射された右回り円偏光は、位相差層６００により左回り円偏光となり、右フィルタＲにより遮断される。そのため、位相差層６００を設けた部分はホログラム図柄が消え、位相差層６００を設けていない部分はホログラム図柄が見えて視認される。
【００４６】
また、左フィルタＬを介して対象物２の識別媒体３が固定された側の方向から識別媒体３を見た場合、位相差層６００に入射した入射光のうちの左回り円偏光は、位相差層６００により右回り円偏光となり、コレステリック液晶層２００により反射される。そして、反射された右回り円偏光は、位相差層６００により左回り円偏光となり、左フィルタＬを透過する。そのため、位相差層６００を設けた部分はホログラム図柄が見え、位相差層６００を設けていない部分はホログラム図柄が消えて視認される。
【００４７】
なお、位相差層６００で生じる位相差が（１／２）波長でない態様（０でない位相差を生じる層である場合）も可能である。この態様では、右フィルタＲを介して識別媒体３を見た場合であっても、左フィルタＬを介して識別媒体３を見た場合であっても、位相差層６００において（１／２）波長でない位相差が発生するために、位相差層６００がある部分のホログラム図柄が見える。なお、識別媒体を直視した場合は、第１の実施形態の場合と同様の見え方となる。
【００４８】
（３）第３の実施形態
第３の実施形態は、上記第１の実施形態を変更したものである。したがって、主に変更部分について説明し、第１の実施形態と同様な構成および作用の説明は省略する。図９は、第３の実施形態にかかる識別媒体および対象物を示す断面図である。
【００４９】
識別媒体４は、識別層１２の偏光層４０１にコレステリック液晶層７００を設けている。コレステリック液晶層７００は、直線偏光板層４２０に隣接して積層されている。つまり、コレステリック液晶層７００は、直線偏光板層４２０と接着層５００との間に設けられている。コレステリック液晶層７００は、コレステリック液晶層を含んだインクを用いた印刷法により形成され、直線偏光板層４２０の表面全体を覆うように設けられている。コレステリック液晶層７００は、コレステリック液晶層２００と同じ物であってもよいし違う光学特性を示すものであってもよい。すなわち、コレステリック液晶層７００は、コレステリック液晶の層であれば種類は限定されない。
【００５０】
第３の実施形態によれば、対象物２の識別媒体４が固定された側の方向（図の上側）から識別媒体４を目視した場合は、第１の実施形態の場合と同じである。一方、識別用フィルタを介さずに対象物２の裏面（図の下側）から識別媒体４を目視した場合、裏面側から見て、コレステリック液晶層２００が反射する成分（特定波長の右回り円偏光）がコレステリック液晶層７００で反射または偏光層４００で吸収され、コレステリック液晶層２００には届かない。このため、コレステリック液晶層２００のホログラム図柄２１０は消え、コレステリック液晶層７００の色彩が見える。また、表面保護層１００の側からコレステリック液晶層２００に入射し、コレステリック液晶層２００を透過した成分の一部または全ては、コレステリック液晶層７００も透過する。このため、識別媒体４の表側の景色が透けて見える。
【００５１】
なお、コレステリック液晶層７００が直線偏光層４２０の表面全体を覆うように設けられている場合に限らず、部分的に設けられていてもよい。また、コレステリック液晶層７００にホログラム加工が施されていてもよい。
【００５２】
（４）第４の実施形態
識別媒体の第４の実施形態は、上記第１の実施形態を変更したものである。したがって、主に変更部分について説明し、第１の実施形態と同様な構成の説明は省略する。図１０は、第４の実施形態にかかる識別媒体および対象物を示す断面図である。
【００５３】
識別媒体５は、識別層１３に偏光層４００を設けず偏光層の役割をするコレステリック液晶層８００を設けている。コレステリック液晶層８００は、コレステリック液晶層２００を構成するコレステリック液晶と同様の光学特性を示すものとされている。すなわち、コレステリック液晶層８００は、コレステリック液晶層２００が反射する特定波長（例えば緑）を含む右回り円偏光を選択的に反射し、その他の成分を透過する。なお、コレステリック液晶層２００が反射する偏光の波長域よりもコレステリック液晶層８００が反射する偏光の波長域は広くても構わない。
【００５４】
第４の実施形態によれば、対象物２の識別媒体５が固定された側の方向から識別媒体５を目視した場合は第１の実施形態の場合と同じであり、識別用フィルタを介さずに対象物２の裏面から識別媒体５を目視した場合はコレステリック液晶層２００のホログラム図柄２１０は消え、コレステリック液晶層８００の色彩が見え、且つ、向こう側が透けて見える。すなわち、裏面側から見て、コレステリック液晶層２００が反射する成分がコレステリック液晶層８００で反射され、コレステリック液晶層２００には届かない。このため、コレステリック液晶層２００のホログラム図柄２１０は消え、コレステリック液晶層８００の色彩が見える。また、表面保護層１００の側からコレステリック液晶層２００に入射し、コレステリック液晶層２００を透過した成分の一部または全ては、コレステリック液晶層８００も透過する。このため、識別媒体５の表側の景色が透けて見える。言い替えると、裏面側から見て、対象物２を介して、識別媒体５の向こう側が透けて見える。
【００５５】
なお、コレステリック液晶層８００が全体を覆うように設けられている場合に限らず、部分的に設けられていてもよい。また、コレステリック液晶層８００にホログラム加工が施されていてもよい。
【００５６】
（５）その他の実施形態
識別媒体１に切れ込みを入れ、対象物２から剥がそうとした場合に、その切れ込みから識別媒体１が破れ、再利用ができなくなるようにしてもよい。こうすることで、識別媒体１の不正な再利用を防ぐことができる。この原理を利用することで、パッケージの開封の有無を識別する開封識別シールを得ることができる。
【００５７】
また、識別媒体１を構成する一部の層に識別媒体１を対象物２から剥がそうとした際に、層間破壊が生じる構成を付与することもできる。この構成の具体例としては、接着層３００や接着層５００が剥離を起こす前に、コレステリック液晶層２００の層構造が物理的に破壊され、積層された方向で分離するように調整する例を挙げることができる。この調整は、コレステリック液晶層２００の製造時における温度条件を調整することで実現することができる。
【００５８】
さらに、接着層５００を設けず、識別層１０〜１３をタグのように貼り付けずに単独で使用してもよい。また対象物２は、一部が光透過性を有しているものであってもよい。この場合、光透過性の部分が、裏面側から観察した場合の視覚効果に寄与する。また、適用される物品は、キャッシュカードや身分証明書であってもよい。この場合、キャッシュカードや身分証明書の少なくとも一部に透明な部分（透かし部分）を設け、そこを対象物２として実施形態に示した構成を適用すればよい。
【産業上の利用可能性】
【００５９】
本発明は、真贋判定に利用される識別媒体に利用することができる。
【図面の簡単な説明】
【００６０】
【図１】識別媒体および対象物を示す断面図である。
【図２】コレステリック液晶層の構造を概念的に示す概念図である。
【図３】識別媒体を視認する場合を示す断面図である。
【図４】右フィルタを介して表面から識別媒体を見た場合を示す図である。
【図５】左フィルタを介して表面から識別媒体を見た場合を示す図である。
【図６】目視により裏面から識別媒体を見た場合を示す図である。
【図７】光透過性を有する部分を一部に有する対象物を示す図である。
【図８】第２の実施形態にかかる識別媒体および対象物を示す断面図である。
【図９】第３の実施形態にかかる識別媒体および対象物を示す断面図である。
【図１０】第４の実施形態にかかる識別媒体および対象物を示す断面図である。
【符号の説明】
【００６１】
１…識別媒体、２…対象物、１０…識別層、２００…コレステリック液晶層、４００…偏光層、４１０…１／４波長板層、４２０…直線偏光板層、５００…接着層。
【図１】
2010117381.tif 000003
【図２】
2010117381.tif 000004
【図３】
2010117381.tif 000005
【図４】
2010117381.tif 000006
【図５】
2010117381.tif 000007
【図６】
2010117381.tif 000008
【図７】
2010117381.tif 000009
【図８】
2010117381.tif 000010
【図９】
2010117381.tif 000011
【図１０】
2010117381.tif 000012